(57)【要約】      （修正有）【課題】ストッキング等の軽衣料品を吊下げるための帯部が強靭で、吊下げた衣料品の型崩れがなく、衣料品のズレやズリ落ちの心配もない衣料品吊下げ用台紙を提供するもので、必要により薄手の靴下類もその踵部で体裁よく折り返し得るようにして吊下げることもできるようにする。【解決手段】衣料品を吊下げるために使用される帯部が台紙本体の左右両側に設けられた帯状部分の先端部を互いに係止可能に構成された衣料品吊下げ用台紙であって、左右各帯状部分は台紙本体に設けられた左右の主帯片と各主帯片の下辺に折曲自在部を介して設けられた補助帯片とにより構成され、各主帯片の上辺及び各補助帯片の下辺は補助帯片を上方へ折り返して主帯片上に重ねたときに衣料品の滑り止め縁となるように構成されている。【選択図】図１
0003136485.tif 000002
【実用新案登録請求の範囲】
【請求項１】
衣料品を吊下げて該衣料品の陳列のために使用される帯部が、台紙本体の左右両側に設けられた左右の帯状部分の先端部を該先端部に設けられた係止手段によって係止可能に設けられている衣料品吊下げ用台紙であって、上記左右各帯状部分は、上記台紙本体に折曲自在部を介して設けられた左右の主帯片と該各主帯片の下辺に折曲自在部を介して設けられた補助帯片とにより構成され、また各主帯片の上辺及び各補助帯片の下辺は補助帯片を上方へ折り返して主帯片上に重ねられたときに衣料品の滑り止め縁となるように構成されていることを特徴とする衣料品吊下げ用台紙。
【請求項２】
前記各主帯片の上辺及び各補助帯片の下辺は、凹凸縁に形成されたことを特徴とする請求項１又は２記載の衣料品吊下げ用台紙。
【請求項３】
前記補助帯片を上方へ折り返して主帯片上に重ねられたときに、その上縁部全体が左右いずれか一方へ傾斜するように構成されたことを特徴とする請求項１又は２記載の衣料品吊下げ用台紙。
【考案の詳細な説明】
【技術分野】
【０００１】
本考案は、ストッキングやパンティーストッキング、タイツ、アンクレット等の軽衣料品を陳列、販売するときに使用される衣料品吊下げ用の台紙に関する。
【背景技術】
【０００２】
従来、この種の衣料品吊下げ用台紙としては、例えば下記の特許文献１及び特許文献２により開示されているようなものが知られている。
【０００３】
特許文献１には、台紙本体の左右に帯状部分（特許文献１中、符号７a、７b）を有し、これら左右帯状部分の先端を重ね合わせて係止手段（特許文献１中、符号８a、８b）により係止することで帯部が構成された、実質的には一枚構造の帯部に衣料品を吊下げる形式の商品の包装材（以下、従来例１という）が開示されている。
【０００４】
また、特許文献２には、商品（衣類）と係合してズレあるいはズリ落ちを防止する凹凸（特許文献２中、符号３f、３g）が設けられた左右の帯状部分（特許文献２中、符号３a、３b）を有し、これら左右帯部分の先端を重ね合わせて係止手段（特許文献２中、符号３a、３b）により係止することで構成された、実質的には一枚構造の帯部に衣料品を吊下げる形式の衣類の包装具（以下、従来例２という）が開示されている。
【特許文献１】特許第３５７１６６５号公報
【特許文献２】登録実用第３０３８１３２号公報
【考案の開示】
【考案が解決しようとする課題】
【０００５】
しかしながら、上記従来例１及び２は、いずれも、上記帯部が上記したように一枚構造で弱いという問題があった。また、従来例１には従来例２のようなズレ及びズリ落ち防止用の凹凸が帯部にはなく、商品ズレを起こして型崩れをし易い問題があった。他方、従来例２にはズレ及びズリ落ち防止用の凹凸を有していて型崩れを起し難い利点があったが、上記ズレ及びズリ落ち防止用の凹凸が実質的には一列構造で必ずしも充分であったとは言えないものであった。
【０００６】
そこで、本考案は、上記商品（衣料品）を吊下げるための帯部を上方へ折り曲げて二枚重ねの構造とすることにより、該帯部を強くすることを第１の目的とし、またこの折り返した二枚重ね構造の帯部の上辺縁に商品のズレ及びズリ落ち防止用の凹凸縁を二列配列の構造として設けることにより、商品（衣料品）の型崩れを起し難くすることを第２の目的とし、更にこの二枚重ね構造の帯部の上辺縁若しくは二列配列構造のズレ及びズリ落ち防止用の凹凸縁を左右いずれか一方へ傾斜する向きとして設けることにより、例えば薄手の靴下の踵部分を体裁よく折り返し得るようにすることを第３の目的とする。
【課題を解決するための手段】
【０００７】
上記第１の目的を達成するために、請求項１に係る衣料品吊下げ用台紙は、衣料品を吊下げて該衣料品の陳列のために使用される帯部が、台紙本体の左右両側に設けられた左右の帯状部分の先端部を該先端部に設けられた係止手段によって係止可能に設けられている衣料品吊下げ用台紙であって、上記左右各帯状部分は、上記台紙本体に折曲自在部を介して設けられた左右の主帯片と該各主帯片の下辺に折曲自在部を介して設けられた補助帯片とにより構成され、また各主帯片の上辺及び各補助帯片の下辺は補助帯片を上方へ折り返して主帯片上に重ねられたときに衣料品の滑り止め縁となるように構成されていることを特徴とする。
【０００８】
また、上記第２の目的を達成するために、請求項２に係る衣料品吊下げ用台紙は、請求項１に係る衣料品吊下げ用台紙の構成に加え、上記各主帯片の上辺及び各補助帯片の下辺は、凹凸縁に形成されたことを特徴とする。
【０００９】
また、上記第３の目的を達成するために、請求項３に係る衣料品吊下げ用台紙は、請求項１に係る衣料品吊下げ用台紙の構成、若しくは請求項２に係る衣料品吊下げ用台紙の構成に加え、上記補助帯片を上方へ折り返して主帯片上に重ねられたときに、その上縁部全体が左右いずれか一方へ傾斜するように構成されたことを特徴とする。
【考案の効果】
【００１０】
請求項１に係る考案は、衣料品を吊下げるための帯部が、上方へ向けて二つ折りにすることで二枚重ね構造にされ、かつ該二枚重ね構造部を形成する各側の上辺縁が商品の折り返し縁として機能するようにされた一対の帯状部分が相対する配置で台紙本体の左右両側に設けられ、これら左右帯状部分の先端部を重ね合わせて係止手段により係止することにより二枚重ね構造に構成されているので、強靭であり、第１の目的を充分に達成できるのみならず、二枚重ね構造部を構成する前後各側の上辺縁は、商品の折り返し縁として機能することとなり、前側の上辺縁から前側へ吊下する衣料品部分は該前側上辺縁に引っかかり、また後ろ側の上辺縁から後ろ側へ吊下する衣料品部分は該後ろ側上辺縁に引っかかって、それぞれズレやズリ落ち難くなるから、結局前後２個所で商品のズレ及びズリ落ち防止を効果的に果すことになり、高い保形性を奏することができる。
【００１１】
請求項２に係る考案は、上記二枚重ね構造の帯部の上辺縁にズレ及びズリ落ち防止用の凹凸縁を二列配列の構造として設けられたので、請求項１に係る考案の効果に加え、上記凹凸縁をして、より高いズレ及びズリ落ち防止機能及び保形性を得ることができ、上記第２の目的をより充分に達成できる。
【００１２】
請求項３に係る考案は、上記二枚重ね構造の帯部の上辺縁若しくは二列配列構造のズレ及びズリ落ち防止用の凹凸縁が左右いずれか一方へ傾斜する向きとして設けられたので、請求項１に係る考案の効果、若しくは請求項２に係る考案の効果に加え、例えば薄手の靴下の踵部分で体裁よく折り返した状態に包装でき、上記第３の目的を充分に達成できる。
【考案を実施するための最良の形態】
【００１３】
図１〜図８は、第１実施の形態を示すものである。図１は全体を示す展開図であり、図２は組み立てた状態を示す前方斜視図であり、図３は同じく組み立てた状態を示す後方斜視図であり、図４は図３Ａ−Ａ線に沿う断面図であり、図５及び図６はそれぞれ途中まで組み立てた状態を示す斜視図であり、図７の（１）〜（５）及び図８の（１）〜（５）はそれぞれ異なる使用例を示す使用手順の説明図である。
【００１４】
この第１実施の形態の衣料品吊下げ用台紙１０は、表面紙部１１の下辺に折曲自在部１２を介して裏面紙部１３が連設された二つ折り自在の台紙本体１４を有し、上記折曲自在部１２の中間には吊下げ用フック部材１５を装着するためのスリット１６が設けられると共に、上記裏面紙部１３の左右両辺には、衣料品１７a、１７bを下げるための帯部１８を形成するための左右対の主帯片１９a、１９bが折曲自在部２０a、２０bを介して延設され、また、これら左右各主帯片１９a、１９bの下辺には左右の補助帯片２１a、２１bが折曲自在部２２a、２２bを介して延設され、更に、上記表面紙部１１の左右両辺には折曲自在部２３a、２３bを介して先端に向うに従って徐々に細幅になり、かつ、先端が円弧縁にされた左右の舌状係止片２４a、２４bが延設され、そして、これら左右各舌状係止片２３a、２３bの先端寄り個所には該左右各舌状係止片２４a、２４bの先端と反対向きの係止爪２５a、２５bが円弧状切線２６a、２６bを切設することで設けられ、また上記裏面紙部１３の左右両端寄り個所には上記左右各舌状係止片２４a、２４bの先端部を挿入する切線状の挿入切線孔２７a、２７bが設けられている。なお、この第１実施の形態では陳列のための吊下げ部としてプラスチック製のフック部材１５を採用したが、吊下げ用小孔を設けるか、フック形状の切欠を設けて実施しても良い。
【００１５】
更に、上記左右の主帯片１９a、１９bの上辺縁と、左右の衣料品吊下げ補助帯片２１a、２１bの下辺縁とには、衣料品１７と係合してズレを防止する波型の凹凸２８a、２８b、２９a、２９bに形成され、また、上記左右の主帯片１９a、１９bの先端部と、左右の補助帯片２１a、２１bの先端部には両部を係止する係止手段として機能する、切込３０a、３０bにより二股に分割された２対の組片３１a、３１b、３２a、３２bが設けられている。図中３３は、衣料品１７の厚さに合わせて適宜使い分けるための複数本の補助折り線を示す。
【００１６】
すなわち、上記第１実施の形態の衣料品吊下げ用台紙１０は、例えばタイツ１７aを包装する場合には、図７の（１）〜（５）に示すように使用できる。
【００１７】
先ず、図７の（１）に示すように第１実施の形態の衣料品吊下げ用台紙１０をこれにフック部材１５を取付けてから所定の個所に伸展状態にして置き、その上に予め細長い状態に畳んだタイツ１７aの中間個所を載せると共に、図７の（２）に示すように折曲自在部２０a、２０bを利用して左右各主帯片１９a、１９bを内側に折り返しながら、図３及び図７の（２）に示すように、上記左右の主帯片１９a、１９bの先端部と、左右の補助帯片２１a、２１bの先端部に設けられた切込３０a、３０bを利用して二股の組片３１a、３１b、３２a、３２bを互い違いに組むことにより左右の主帯片１９a、１９bの先端と左右の補助帯片２１a、２１bの先端を係止（連結）の状態にしてから、図５及び図７の（３）に示すように、左右の補助帯片２１a、２１bを折曲自在部２２a、２２bのところで折って左右の主帯片１９a、１９bに重ねることで二枚重ね構造の帯部１８を形成する。
【００１８】
次いで、図７の（４）に示すように、上記タイツ１７aを上記帯部１８の上縁に沿い折り返して二つ折りにすることにより該タイツの上半分３４aを下半分３４bに重ねる。しかる後、図７の（４）に示す状態になっている上記表面紙部１１を折曲自在部１２で折って台紙本体１４を二つ折りにすると共に、図７の（５）に示すように、該表面紙部１１が裏側なるように反転し、この反転の状態で左右各舌状係止片２４a、２４bの先端部を左右各挿入切線孔２７a、２７bに表側から深く挿し込んでから僅かに引戻す要領で該舌状係止片２４a、２４bの先端に設けられた係止爪２５a、２５bを挿入切線孔２７a、２７bの切縁に係止する（図４参照）ことにより表・裏面紙部１１、１３を二つ折りの状態に保持し、よって上記タイツ１７aの吊下げフック付き包装が完了され、陳列・販売に供される。
【００１９】
また、上記第１実施の形態の衣料品吊下げ用台紙１０は、上記タイツの他に、接着剤３５a付蓋片３５bを備えた透明袋３５に予め詰られたストッキング１７b等の陳列・販売にも使用できる。この場合、図８の（１）〜（５）に示すような要領で使用される。
【００２０】
先ず、図８の（１）に示すように第１実施の形態の衣料品吊下げ用台紙１０を伸展状態にして置き、その上に上記予め袋詰されたストッキング１７bを、その接着剤３５a付蓋片３５b部分が上記表面紙部１１の上に位置する状態及び透明袋３５の開口部分が上記裏面紙部１３の上に位置する状態に載せると共に、図８の（２）に示すように折曲自在部２０a、２０bを利用して左右各主帯片１９a、１９bを内側に折り返しながら、図４及び図８の（２）に示すように、上記左右の主帯片１９a、１９bの先端辺と、左右の補助帯片２１a、２１bの先端辺に設けられた切込３０a、３０bを利用して二股の組片３１a、３１b、３２a、３２bを互い違いに組むことにより左右の主帯片１９a、１９bと左右の補助帯片２１a、２１bの先端を連結の状態にしてから、図５及び図８の（３）に示すように、左右の補助帯片２１a、２１bを折曲自在部２２a、２２bのところで折って左右の主帯片１９a、１９bに重ねることで二枚重ね構造の帯部１８を形成する。
【００２１】
次いで、図８の（４）に示すように、上記接着剤３５a付蓋片３５b部分をその基端線で折って該蓋片３５b部分と上記透明袋３５の開口部分とで上記二枚重ね構造の帯部１８を挟む状態にしてから、上記接着剤３５a付部を上記透明袋３５に貼り着ける手順を行って上記予め袋詰されたストッキング１７bを二枚重ね構造の帯部１８に装置すると共に、図８の（５）に示すように、該表面紙部１１が裏側なるように反転し、この反転の状態で左右各舌状係止片２４a、２４bの先端部を左右各挿入切線孔２７a、２７bに表側から深く挿し込んでから僅かに引戻す要領で該舌状係止片２４a、２４bの先端に設けられた係止爪２５a、２５bを挿入切線孔２７a、２７bの切縁に係止することにより前・後面紙部１１、１２を二つ折りの状態に保持し、よって上記ストッキング１７bの吊下げフック付き包装が完了され、陳列・販売に供される。
【００２２】
図９〜図１３は、第２実施の形態を示すものである。図９は全体を示す展開図であり、図１０は組み立てた状態を示す前方斜視図であり、図１１は同じく組み立てた状態を示す後方斜視図であり、図１２は途中まで組み立てた状態を示す斜視図であり、図１３の（１）〜（６）は使用例を示す使用手順の説明図である。
【００２３】
この第２実施の形態の衣料品吊下げ用台紙４０は、一足分のレッグマフラー（アンクレットの商品名）４７a、４７bの陳列・販売に供されるものであって、表面紙部４１の下辺に折曲自在部４２を介して裏面紙部４３が連設された二つ折り自在の台紙本体４４を有し、上記折曲自在部４２の中間には吊下げ用フック部材４５を装着するためのスリット４６が設けられると共に、上記裏面紙部１３の左右両辺の上方個所には、上記一足分のレッグマフラー（商品名）４７a、４７bの片方を下げる上側帯部４８aを形成するための左右対の主帯片４９a、４９bが折曲自在部５０a、５０bを介して延設され、また、これら左右各主帯片４９a、４９bの下辺には左右の補助帯片５１a、５１bが折曲自在部５２a、５２bを介して延設され、更にまた、上記左右の主帯片４９a、４９bの先端辺と、左右の補助帯片５１a、５１bの先端辺には切込５３a、５３bにより二股に分割された２対の組片５４a、５４b、５５a、５５bが設けられている。
【００２４】
また、上記裏面紙部４３の左辺における下方個所には他方のレッグマフラー（商品名）４７bを下げる下側帯部４８bを形成するための帯片５６が折曲自在部５６aを介して延設され、また該下側帯片４８bの先端には、先端が円弧縁にされた舌状係止片５７が延設され、そして、該舌状係止片５７の先端寄り個所には該舌状係止片５７の先端と反対向きの係止爪５８が円弧状切線５９を切設することで設けられ、また上記裏面紙部４３の右辺寄り個所には上記舌状係止片５７の先端部を挿入する切線状の挿入切線孔６０が設けられている。なお、図中６１a、６１bは、片方のレッグマフラー（商品名）４７aの厚さに高さを合わせるための調整部を示し、６２a、６２bはレッグマフラー４７a、４７bの両端を連結状態にして輪の形にしたり、外して細長い帯の形にしたりするための係脱用パーツを示す。なお、このパーツに代えて結び紐等を採用することは自由である。
【００２５】
すなわち、この第２実施の形態の衣料品吊下げ用台紙４０を一足分のレッグマフラー（商品名）４７a、４７bの陳列・販売に使用するには、先ず、図１３の（１）に示すように第２実施の形態の衣料品吊下げ用台紙４０を伸展状態にして置くと共に、図１３の（２）に示すように折曲自在部４２を利用して表面紙部４１を裏面紙部４３に重ねることにより台紙本体４４を二つ折りの状態にする。次いで、図１３の（３）に示すように上記台紙本体４４の上に予め輪の形にしてある片方のレッグマフラー（商品名）４７aを載せると共に、図１３の（４）に示すように折曲自在部５０a、５０bを利用して左右各主帯片４９a、４９bを内側に折り返しながら、これら両主帯片４９a、４９bをレッグマフラー（商品名）４７a内に通すと共に該主帯片４９a、４９bを、上記左右の各主帯片４９a、４９bの先端辺と左右の各補助帯片５１a、５１bの先端辺に設けられた切込５３a、５３bを利用して、図１０及び図１２の（５）に示すように二股の組片５４a、５４b、５５a、５５bを互い違いに組むことにより、左右の主帯片４９a、４９bと左右の補助帯片２１a、２１bの先端を係止（連結）の状態にしてから、図１０及び図１３の（５）に示すように、左右の補助帯片５１a、５１bを折曲自在部５２a、５２bのところで折って左右の主帯片４９a、４９bに重ねることで、二枚重ね構造の上側帯部４８aは形成され、かつ、上記片方のレッグマフラー（商品名）４７aは上記二枚重ね構造の上側帯部４８aに下げた状態にされる。
【００２６】
次いで、図１３の（６）に示すように、上記片方側レッグマフラー（商品名）４７aの上に予め輪の形にしてある他方側レッグマフラー（商品名）４７bを載せる。この場合、図１３の（６）に示すように、他方側レッグマフラー（商品名）４７bは、ほぼ半サイズ分ぐらい下方にズラした状態及び全体の形を整えた状態にされることが望ましい。
【００２７】
しかる後、図１３の（６）に示すように、他方側レッグマフラー（商品名）４７bの輪の中に上記帯片５６を通して該帯片５６の先端に延設された舌状係止片５７を輪の反対側に出すと共に、全体を表面紙部４１が裏側なるように反転し、この反転の状態で上記舌状係止片５７の先端部を上記挿入切線孔６０に表側より深く挿し込んでから僅かに引戻す要領で、該舌状係止片５７の先端に設けられた係止爪５９を挿入切線孔６０の切縁に係止させる。この係止により、下側帯部４８bの形成と、他方側レッグマフラー（商品名）４７bの下げ状態と、両方のレッグマフラー（商品名）４７a、４７bの固定とが行われ、よって、上記一足分のレッグマフラー（商品名）４７a、４７bの吊下げフック付き包装が完了され、陳列・販売に供される。
【００２８】
図１４〜図１７は、第３実施の形態を示すものである。図１４は全体を示す展開図であり、図１５及び図１６はそれぞれ途中まで組み立てた状態を示す斜視図であり、図１７は使用例を示す使用手順の説明図である。
【００２９】
この第３実施の形態の衣料品吊下げ用台紙７０は、一足分のストレート型（直筒型）ストッキング７４a、７４bの陳列・販売に供されるものであって、表面紙部７１の下辺に折曲自在部７２を介して裏面紙部７３が連設された二つ折り自在の台紙本体７４を有し、上記折曲自在部７２の中間には吊下げ用フック部材７５を装着するためのスリット７６が設けられると共に、上記裏面紙部７３の左右両辺の上方個所には、上記一足分のストレート型ストッキング７４a、７４bを重ねて下げる上側帯部７８aを形成するための左右対の主帯片７９a、７９bが折曲自在部８０a、８０bを介して延設され、また、これら左右各主帯片７９a、７９bの下辺には左右の補助帯片８１a、８１bが折曲自在部８２a、８２bを介して延設され、更にまた、上記左右の主帯片７９a、７９bの先端辺と、左右の補助帯片８１a、８１bの先端辺には切込８３a、８３bにより二股に分割された２対の組片８４a、８４b、８５a、８５bが設けられている。
【００３０】
更に、上記左右の主帯片７９a、７９bの上辺縁と、左右の補助帯片８１a、８１bの下辺縁とには、上記ストレート型ストッキング７４a、７４bと係合してズレを防止する波型の凹凸８６a、８６b、８７a、８７bに形成されている。
【００３１】
また、上記裏面紙部７３の下方個所の両側には上記表面紙部７１を覆い状態に保持するための下側帯部７８bとされる左右一対の細幅片８８a、８８bが折曲自在部８９a、８９bを介して設けられ、これら細幅片８８a、８８bのそれぞれの先端部には相互に係合して上記下側帯部７８bを形成するための切込９０a、９０bが設けられている。
【００３２】
更に、上記表面紙部７１の先端辺に折曲自在部９１を介して挿込片９２が延設され、該挿込片９２は上記下側帯部７８bの内側に下方から上方に向って挿入されたとき、上記表面紙部７１が前面に保持される。この場合、挿込片９２の挿込量を選択できるようにするために使用する、上記表面紙部７１の先端辺に平行する複数本の折線９３が設けられている。従って、例えば上記ストレート型ストッキング７４a、７４bの陳列しないで隠し納めて置きたい隠納部分が多い場合には、上記表面紙部７１の先端辺から遠い方の折線９３を選択することで該表面紙部７１と裏面紙部７３間に容積の大きい空間９４を形成して該空間９４に隠し置くことかでき、また少ない場合には、上記表面紙部７１の先端辺から近い方の折線９３を選択することで容積の小さい空間を形成して隠し置くことかできるから、結果として体裁を整えるには好都合である。
【００３３】
すなわち、この第３実施の形態の衣料品吊下げ用台紙７０を一足分のストレート型ストッキング７４a、７４bの陳列・販売に使用するには、先ず、図１７の（１）に示すように第３実施の形態の衣料品吊下げ用台紙７０を伸展状態にして所定の場所に置くと共に、図１５及び図１７の（２）に示すように折曲自在部８０a、８０bを利用して左右各主帯片７９a、７９bを内側に折り返しながら、該左右の各主帯片７９a、７９bの先端辺と、上記左右の各補助帯片８１a、８１bの先端辺に設けられた切込８３a、８３bを利用して二股の組片８４a、８４b、８５a、８５bを互い違いに組むことにより左右の主帯片７９a、７９bと左右の補助帯片８１a、８１bの先端を係止（連結）の状態にしてから、図１６及び図１７の（３）に示すように、左右の補助帯片８１a、８１bを折曲自在部８２a、８２bのところで折って左右の主帯片７９a、７９bに重ねて、二枚重ね構造の上側帯部７８aを形成することにより一足分のストレート型ストッキング７４a、７４bを固定する。
【００３４】
次いで、図１７の（４）に示すように、上記ストレート型ストッキング７４a、７４bを上記上側帯部７８aの上辺に沿い折り返して該ストレート型ストッキング７４a、７４bを二つ折り状態にしたのち、上記細幅片８８a、８８bを折曲自在部８９a、８９bのところで折ると共に該細幅片８８a、８８bの先端部に設けられた切込９０a、９０bを係合させて下側帯部７８bを形成する。
【００３５】
しかる後、図１７の（５）に示すように、上記表面紙部７１を折曲自在部７２のところで折って裏面紙部７３の表側に重ねると共に、図１７の（６）に示すように、上記挿込片９２を上記下側帯部７８bの内側に下方から上方に向って挿入することで表面紙部７１と裏面紙部７３の重ね状態を保持し、よって上記ストレート型ストッキング７４a、７４bの吊下げフック付き包装が完了され、陳列・販売に供される。
【００３６】
図１８〜図２１は、第４実施の形態を示すものである。図１８は全体を示す展開図であり、図１９及び図２０はそれぞれ途中まで組み立てた状態を示す斜視図であり、図２１の（１）〜（６）は使用例を示す使用手順の説明図である。
【００３７】
この第４実施の形態の衣料品吊下げ用台紙９５は、一足分の踵部９５a付きストッキング９６a、９６bの陳列・販売に供されるものであるが、図１３と図１８とを比較して見ることでも明らかなように、上記各主帯片の上辺及び各補助帯片の下辺が、前者は補助帯片が主帯片に重ねられたときには水平になり、後者は補助帯片が主帯片に重ねられたときには同じ方向に傾斜する向きになるように形成されている点が異なっていることが分かる。すなわち、この第４実施の形態の衣料品吊下げ用台紙９５は、踵部９５a付きストッキング９６a、９６bにおける踵部９５aの形に適合するようにするために、上記傾斜向きにされているものである。このように第４実施の形態の衣料品吊下げ用台紙９５は、上記第３実施の形態の衣料品吊下げ用台紙７０と上記の点が異なっているものであるから、同じ部位に同一の符号を付して詳細な説明はここでは省略することにする。
【図面の簡単な説明】
【００３８】
【図１】本考案の第１実施の形態を示す全体の展開図である。
【図２】同じく組み立てた状態を示す前方斜視図である。
【図３】同じく組み立てた状態を示す後方斜視図である。
【図４】図３のＡ−Ａ線に沿う断面図である。
【図５】同じく途中まで組み立てた状態を示す斜視図である。
【図６】同じく途中まで組み立てた状態を示す斜視図である。
【図７】同じく使用例を示す使用手順の説明図である。
【図８】同じく別異の使用例を示す使用手順の説明図である。
【図９】本考案の第２実施の形態を示す全体の展開図である。
【図１０】同じく組み立てた状態を示す前方斜視図であ。
【図１１】同じく組み立てた状態を示す後方斜視図であ。
【図１２】同じく途中まで組み立てた状態を示す斜視図である。
【図１３】同じく使用例を示す使用手順の説明図である。
【図１４】本考案の第３実施の形態を示す全体の展開図である。
【図１５】同じく途中まで組み立てた状態を示す斜視図である。
【図１６】同じく途中まで組み立てた状態を示す斜視図である。
【図１７】同じく使用例を示す使用手順の説明図である。
【図１８】本考案の第４実施の形態を示す全体の展開図である。
【図１９】同じく途中まで組み立てた状態を示す斜視図である。
【図２０】同じく途中まで組み立てた状態を示す斜視図である。
【図２１】同じく使用例を示す使用手順の説明図である。
【符号の説明】
【００３９】
１０  第１実施の形態の衣料品吊下げ用台紙
１１  表面紙部
１２  折曲自在部
１３  裏面紙部
１４  台紙本体
１５  フック部材
１６  スリット
１７a  タイツ
１７b  ストッキング
１８  帯部
１９a、１９b  主帯片
２０a、２０b  折曲自在部
２１a、２１b  補助帯片
２２a、２２b  折曲自在部
２３a、２３b  折曲自在部
２４a、２４b  舌状係止片
２５a、２５b  係止爪
２６a、２６b  円弧状切線
２７a、２７b  挿入切線孔
２８a、２８b、２９a、２９b  波型の凹凸
３０a、３０b  切込
３１a、３１b、３２a、３２b  組片
３３  補助折り線
３４a  上半分
３４b  下半分
３５  透明袋
３５a  接着剤
３５b  蓋片
３６  ３７  ３８  ３９  
４０  第２実施の形態の衣料品吊下げ用台紙
４１  表面紙部
４２  折曲自在部
４３  裏面紙部
４４  台紙本体
４５  フック部材
４６  スリット
４７a、４７b  一足分のレッグマフラー（アンクレットの商品名）
４８a  上側帯部
４８b  下側帯部
４９a、４９b  主帯片
５０a、５０b  折曲自在部
５１a、５１b  補助帯片
５２a、５２b  折曲自在部
５３a、５３b  切込
５４a、５４b、５５a、５５b  組片
５６  帯片
５７  舌状係止片
５８  係止爪
５９  円弧状切線
６０  挿入切線孔
６１a、６１b  調整部
７０  第３実施の形態の衣料品吊下げ用台紙
７１  表面紙部
７２  折曲自在部
７３  裏面紙部
７４  台紙本体
７４a、７４b  一足分のストレート型（直筒型）ストッキング
７５  フック部材
７６  スリット
７８a  上側帯部
７９a、７９b  主帯片
８０a、８０b  折曲自在部
８１a、８１b  補助帯片
８２a、８２b  折曲自在部
８３a、８３b  切込
８４a、８４b、８５a、８５b  ２対の組片
８６a、８６b、８７a、８７b  波型の凹凸
７４a、７４b  ストレート型ストッキング
８６a、８６b、８７a、８７b  
８８a、８８b  細幅片
８９a、８９b  折曲自在部
９０a、９０b  切込
９１  折曲自在部
９２  挿込片
９３  折線
９４  空間
９５  第４実施の形態の衣料品吊下げ用台紙
９５a  踵部
９６a、９６b  踵部付きストッキング
【図１】
0003136485.tif 000003
【図２】
0003136485.tif 000004
【図３】
0003136485.tif 000005
【図４】
0003136485.tif 000006
【図５】
0003136485.tif 000007
【図６】
0003136485.tif 000008
【図７】
0003136485.tif 000009
【図８】
0003136485.tif 000010
【図９】
0003136485.tif 000011
【図１０】
0003136485.tif 000012
【図１１】
0003136485.tif 000013
【図１２】
0003136485.tif 000014
【図１３】
0003136485.tif 000015
【図１４】
0003136485.tif 000016
【図１５】
0003136485.tif 000017
【図１６】
0003136485.tif 000018
【図１７】
0003136485.tif 000019
【図１８】
0003136485.tif 000020
【図１９】
0003136485.tif 000021
【図２０】
0003136485.tif 000022
【図２１】
0003136485.tif 000023
【手続補正書】
【提出日】平成19年8月6日(2007.8.6)
【手続補正１】
【補正対象書類名】実用新案登録請求の範囲
【補正対象項目名】請求項１
【補正方法】変更
【補正の内容】
【請求項１】
衣料品を吊下げて該衣料品の陳列のために使用される帯部が台紙本体の左右両側に設けられた左右の帯状部分から構成され、該帯状部分の両先端部は互いに係止可能に構成されなる衣料品吊下げ用台紙であって、上記左右各帯状部分は上記台紙本体に折曲自在部を介して設けられた左右の主帯片と該各主帯片の下辺に折曲自在部を介して設けられた補助帯片とにより構成され、また各主帯片の上辺及び各補助帯片の下辺は補助帯片を上方へ折り返して主帯片上に重ねられたときに衣料品の滑り止め縁となるように構成されていることを特徴とする衣料品吊下げ用台紙。
【手続補正２】
【補正対象書類名】実用新案登録請求の範囲
【補正対象項目名】請求項２
【補正方法】変更
【補正の内容】
【請求項２】
前記各主帯片の上辺及び各補助帯片の下辺は、凹凸状に形成されたことを特徴とする請求項１又は２記載の衣料品吊下げ用台紙。